【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
前ウエスト部および後ウエスト部とからなるウエスト部と、前記ウエスト部から連続する前胴部および後胴部からなる胴部と、前記胴部から連続する股下部と、股下部近傍に設けた脚部穴とを備えた下半身用使い捨て繊維製品を製造する方法であって、
第１の不織布と、搬送方向に伸縮性を有する弾性部材と、紙と、第２の不織布とを前記搬送方向に搬送し、接着剤が塗布された前記弾性部材を介して前記第１の不織布と前記紙の一方の面とを接合するとともに、前記紙の他方の面と前記第２の不織布とを接合して複合シートを形成する複合シート形成工程と、 
前記複合シートを前記搬送方向に引き延ばした状態で、前記複合シートの搬送方向に沿って所定間隔をおいて、前記複合シートにおける弾性部材接合領域に穴あけ加工を施し、前記脚部穴を形成する脚部穴形成工程と、
を備えることを特徴とする下半身用使い捨て繊維製品の製造方法。
【請求項２】
前記複合シート形成工程に先立って、前記紙を脆弱化させる脆弱化工程と、前記紙に柔軟剤を含有させる柔軟化工程と、を備える請求項１記載の下半身用使い捨て繊維製品の製造方法。
【請求項３】
前記脆弱化工程はエンボス加工により行われ、
前記柔軟化工程は前記紙にグリセリンが含有される請求項２記載の下半身用使い捨て繊維製品の製造方法。
【請求項４】
前記紙に印刷を施す印刷工程を有し、前記複合シートの遮光率が７５％以上である請求項２または３記載の下半身用使い捨て繊維製品の製造方法。
【請求項５】
前記紙の目付量が１０〜３０ｇ／ｍ２である請求項１から４のいずれか一項に記載の下半身用使い捨て繊維製品の製造方法。
【請求項６】
前記脚部穴形成工程に先立って、前記複合シートの前記搬送方向と直交する幅方向の両端部を、前記幅方向に折り返す折り返し工程を備える請求項１から５のいずれか一項に記載の下半身用使い捨て繊維製品の製造方法。
【請求項７】
前記複合シートの前記搬送方向への引き延ばし量を数段階に設定でき、
前記脚部穴形成工程は、前記数段階の引き延ばし量の中から選択されたいずれかの引き延ばし量で前記複合シートを引き延ばし、この状態で脚部穴が形成される請求項１から６のいずれか一項に記載の下半身用使い捨て繊維製品の製造方法。
【手続補正２】
【補正対象書類名】明細書
【補正対象項目名】００１１
【補正方法】変更
【補正の内容】
【００１１】
請求項１記載の下半身用使い捨て繊維製品の製造方法は、前ウエスト部および後ウエスト部とからなるウエスト部と、前記ウエスト部から連続する前胴部および後胴部からなる胴部と、前記胴部から連続する股下部と、股下部近傍に設けた脚部穴とを備えた下半身用使い捨て繊維製品を製造する方法であって、
第１の不織布と、搬送方向に伸縮性を有する弾性部材と、紙と、第２の不織布とを前記搬送方向に搬送し、接着剤が塗布された前記弾性部材を介して前記第１の不織布と前記紙の一方の面とを接合するとともに、前記紙の他方の面と前記第２の不織布とを接合して複合シートを形成する複合シート形成工程と、 
前記複合シートを前記搬送方向に引き延ばした状態で、前記複合シートの搬送方向に沿って所定間隔をおいて、前記複合シートにおける弾性部材接合領域に穴あけ加工を施し、前記脚部穴を形成する脚部穴形成工程と、
を備えることを特徴とするものである。
【手続補正３】
【補正対象書類名】明細書
【補正対象項目名】００１２
【補正方法】変更
【補正の内容】
【００１２】
請求項２記載の下半身用使い捨て繊維製品の製造方法は、前記複合シート形成工程に先立って、前記紙を脆弱化させる脆弱化工程と、前記紙に柔軟剤を含有させる柔軟化工程と、を備えている。
【手続補正４】
【補正対象書類名】明細書
【補正対象項目名】００１３
【補正方法】変更
【補正の内容】
【００１３】
請求項３記載の下半身用使い捨て繊維製品の製造方法は、前記脆弱化工程はエンボス加工により行われ、前記柔軟化工程は前記紙にグリセリンが含有されている。
【手続補正５】
【補正対象書類名】明細書
【補正対象項目名】００１４
【補正方法】変更
【補正の内容】
【００１４】
請求項４記載の下半身用使い捨て繊維製品の製造方法は、前記紙に印刷を施す印刷工程を有し、前記複合シートの遮光率が７５％以上である。
【手続補正６】
【補正対象書類名】明細書
【補正対象項目名】００１５
【補正方法】変更
【補正の内容】
【００１５】
なお、上記複合シート形成工程として、通気性を有する第１の不織布、弾性部材、液拡散性を有する紙および通気性を有する第２の不織布をそれぞれ搬送方向に連続的に供給し、前記第１の不織布と前記紙との間に弾性部材が挟まれる状態でそれら第１の不織布、弾性部材、紙および第２の不織布を積層し且つそれらを相互に接合して複合シートを形成する複合シート形成工程を有するように構成することもできる。
【手続補正７】
【補正対象書類名】明細書
【補正対象項目名】００１６
【補正方法】変更
【補正の内容】
【００１６】
請求項５記載の下半身用使い捨て繊維製品の製造方法は、前記紙の目付量が１０〜３０ｇ／ｍ２である。
【手続補正８】
【補正対象書類名】明細書
【補正対象項目名】００１７
【補正方法】変更
【補正の内容】
【００１７】
請求項６記載の下半身用使い捨て繊維製品の製造方法は、前記脚部穴形成工程に先立って、前記複合シートの前記搬送方向と直交する幅方向の両端部を、前記幅方向に折り返す折り返し工程を備えている。
【手続補正９】
【補正対象書類名】明細書
【補正対象項目名】００１８
【補正方法】変更
【補正の内容】
【００１８】
請求項７記載の下半身用使い捨て繊維製品の製造方法は、前記複合シートの前記搬送方向への引き延ばし量を数段階に設定でき、
前記脚部穴形成工程は、前記数段階の引き延ばし量の中から選択されたいずれかの引き延ばし量で前記複合シートを引き延ばし、この状態で脚部穴が形成されている。
【手続補正１０】
【補正対象書類名】明細書
【補正対象項目名】００１９
【補正方法】変更
【補正の内容】
【００１９】
なお、前記弾性部材によるウエスト部の伸縮部と、胴部の伸縮部と、股下部の伸縮部と、脚部穴領域の伸縮部とが同時に形成されるように弾性部材を配置する弾性部材配置工程を有してもよい。
【手続補正１１】
【補正対象書類名】明細書
【補正対象項目名】００２０
【補正方法】変更
【補正の内容】
【００２０】
なお、前記弾性部材として伸縮性を有する複数の線状弾性体を所定間隔を置いて配列した状態で供給して、前記繊維状シートまたは前記繊維材料に接合する弾性部材配置工程を有してもよい。
【手続補正１２】
【補正対象書類名】明細書
【補正対象項目名】００２１
【補正方法】変更
【補正の内容】
【００２１】
なお、前記線状弾性体が配置されて形成される弾性部が、複合シートの内部において全部に存在するように線状弾性体を配置する弾性部材配置工程を有してもよい。この場合、弾性部材配置工程において、第１の不織布と紙との間の全面に所定間隔ごとに複数の線状弾性体を配置するが、一方、このような全面配置に限定されず、前記弾性部が、少なくとも、前記複合シートの脚部穴形成用領域に存在するように線状弾性体を配置するようにしてもよい。
【手続補正１３】
【補正対象書類名】明細書
【補正対象項目名】００２２
【補正方法】変更
【補正の内容】
【００２２】
なお、前記第１の不織布と前記紙とを間欠的に接合することが好ましく、また、前記前記紙と前記第１の不織布とを間欠的に接合することが好ましい。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】変更
【補正の内容】
【００３０】
請求項１記載の下半身用使い捨て繊維製品の製造方法は、接着剤が塗布された前記弾性部材を介して前記第１の不織布と前記紙の一方の面とを接合しているので、複合シートから弾性部材が抜け落ちるのを防止することができる。
【手続補正２２】
【補正対象書類名】明細書
【補正対象項目名】００３１
【補正方法】変更
【補正の内容】
【００３１】
また、請求項１記載の下半身用使い捨て繊維製品の製造方法は、ウエスト部と、胴部と、股下部とが伸縮性を有するので、使用者にフィットする下半身用使い捨て繊維製品を製造することができる。
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】変更
【補正の内容】
【００３４】
また、請求項１記載の下半身用使い捨て繊維製品の製造方法は、複雑な工程を必要としないので、製造コストも安価で済むという利点がある。
【手続補正２６】
【補正対象書類名】明細書
【補正対象項目名】００３５
【補正方法】変更
【補正の内容】
【００３５】
なお、着用時に脚穴部に前記搬送方向沿った方向の引っ張り応力が及ぼされるので、単に脚部穴に弾性伸縮力が付与されるだけでなく、脚部穴周囲にも弾性伸縮力が付与される。